(57)【要約】  この発明は、一対のガイドみぞ３のある天板２を有するＸ線透視撮影装置において、各ガイドみぞ３によって踏台を取り付けることができ、各ガイドみぞ３によって延長天板８を取り付けることもできるようにすることを目的とする。  この発明によれば、一対のヘッド１０が一対の回転軸と組み合わされ、各ヘッド１０が各回転軸の下端に設けられ、延長天板８を天板２の終端に突き合せるとき、各ヘッド１０が各ガイドみぞ３の開口部４から挿入され、各ガイドみぞ３の内部にはめ込まれる。その後、回転操作機構１２によって回転軸およびヘッド１０が回転する。回転軸およびヘッド１０は９０°回転する。
2009128166.tif 000002
【特許請求の範囲】
【請求項１】
被験者の身体を載せる天板に一対のガイドみぞが設けられ、前記ガイドみぞは上方に開口する開口部を有し、前記天板の長さ方向にのび、前記天板の両側縁に沿って形成され、前記開口部は前記ガイドみぞの内部の幅よりも小さい幅をもち、前記ガイドみぞの幅方向中央部に形成され、さらに、前記天板の被験者足側において、前記各ガイドみぞの末端にストッパが設けられており、前記被験者の足を載せる踏台の脚部を前記各ガイドみぞの内部にはめ込み、前記各ガイドみぞに沿って移動させ、前記ストッパに係合させるようにしたＸ線透視撮影装置であって、
前記天板の被験者足側において、前記天板の末端に突き合わせ、前記天板を延長させる延長天板と、
前記延長天板から突出し、前記延長天板を前記天板の末端に突き合わせるとき、前記各ガイドみぞの上方に配置される一対の突出部と、
前記各ガイドみぞに対応する位置において、前記各突出部に取り付けられ、垂直にのび、回転可能である一対の回転軸と、
前記各回転軸の下端に設けられ、前記ガイドみぞの開口部の幅と同一またはそれよりも小さい幅をもち、水平に配置され、前記延長天板を前記天板の終端に突き合わせるとき、前記各ガイドみぞの開口部から挿入し、前記各ガイドみぞの内部にはめ込むことができ、さらに、前記ガイドみぞの開口部の幅よりも長く、前記ガイドみぞの内部の幅と同一またはそれよりも短い長さをもつ一対のヘッドと、
前記各ヘッドのはめ込み後、前記回転軸およびヘッドを９０°回転させる回転操作機構とを備えたことを特徴とするＸ線透視撮影装置。
【請求項２】
さらに、前記突出部と回転軸間に設けられ、前記回転軸およびヘッドの回転後、前記回転軸およびヘッドを引き上げ、前記各ヘッドを前記各ガイドみぞの内壁面に押し付ける引き上げ操作機構を備えたことを特徴とする請求項１に記載のＸ線透視撮影装置。
【発明の詳細な説明】
【技術分野】
【０００１】
この発明は、Ｘ線透視撮影装置に関するものである。
【背景技術】
【０００２】
被験者の身体を載せる天板を有するＸ線透視撮影装置において、その天板に一対のガイドみぞが設けられることが多い。ガイドみぞは上方に開口する開口部を有し、天板の長さ方向にのび、天板の両側縁に沿って形成される。開口部はガイドみぞの内部の幅よりも小さい幅をもち、ガイドみぞの幅方向中央部に形成される（特許文献１参照）。【０００３】
したがって、たとえば、被験者が使用する肩当てにガイドみぞに対応する横断面形状の脚部を設け、これを各ガイドみぞの内部にはめ込むと、肩当ての脚部を各ガイドみぞに沿って移動させ、その位置を任意に調節することができる。しかも、脚部がガイドみぞの開口部から抜けることはない。被験者が握る握り棒も同様である。【０００４】
被験者の足を載せる踏台に同様の脚部を設け、踏台の脚部を各ガイドみぞの内部にはめ込み、各ガイドみぞによって踏台を取り付けることもできる。ただし、踏台の場合、踏台に被験者の足を載せ、天板を立てたとき、天板の被験者足側において、踏台の脚部がガイドみぞの末端から抜け、被験者および踏台が不慮に落下しないようにする必要がある。したがって、天板の被験者足側において、各ガイドみぞの末端にストッパが設けられることが多い。この場合、踏台の脚部を各ガイドみぞの内部にはめ込み、各ガイドみぞに沿って移動させ、ストッパに係合させると、踏台の脚部がガイドみぞの末端から抜けることはない。【０００５】
さらに、天板の被験者足側において、延長天板が天板の末端に突き合わされ、延長天板によって天板が延長されることも多い。延長天板にガイドみぞに対応する横断面形状の突起を設け、これを各ガイドみぞの末端から挿入し、各ガイドみぞの内部にはめ込み、各ガイドみぞによって延長天板を取り付けることも考えられる。しかしながら、各ガイドみぞの末端にストッパが設けられることは前述したとおりであり、この場合、延長天板の突起を各ガイドみぞの末端から挿入することはできず、各ガイドみぞによって延長天板を取り付けることはできない。【０００６】
したがって、この発明は、一対のガイドみぞのある天板を有するＸ線透視撮影装置において、各ガイドみぞによって踏台を取り付けることができ、各ガイドみぞによって延長天板を取り付けることもできるようにすることを目的としてなされたものである。
【特許文献１】特開平８−１３１４３３号公報
【発明の開示】
【０００７】
この発明によれば、被験者を載せる天板に一対のガイドみぞが設けられ、ガイドみぞは上方に開口する開口部を有し、天板の長さ方向にのび、天板の両側縁に沿って形成される。開口部はガイドみぞの内部の幅よりも小さい幅をもち、ガイドみぞの幅方向中央部に形成される。さらに、天板の被験者足側において、各ガイドみぞの末端にストッパが設けられる。したがって、被験者の足を載せる踏台の脚部を各ガイドみぞの内部にはめ込み、各ガイドみぞに沿って移動させ、ストッパに係合させることができる。
【０００８】
さらに、この発明によれば、天板の被験者足側において、延長天板が天板の末端に突き合わされ、延長天板によって天板が延長される。さらに、一対の突出部が延長天板から突出し、延長天板を天板の終端に突き合わせるとき、各突出部が各ガイドみぞの上方に配置される。さらに、一対のヘッドが一対の回転軸と組み合わされ、各ガイドみぞに対応する位置において、各回転軸が各突出部に取り付けられる。回転軸は垂直にのび、回転可能である。さらに、各ヘッドが各回転軸の下端に設けられる。ヘッドはガイドみぞの開口部の幅と同一またはそれよりも小さい幅をもち、水平に配置される。したがって、延長天板を天板の終端に突き合わせるとき、各ヘッドを各ガイドみぞの開口部から挿入し、各ガイドみぞの内部にはめ込むことができる。さらに、ヘッドはガイドみぞの開口部の幅よりも長く、ガイドみぞの内部の幅と同一またはそれよりも短い長さをもつ。そして、各ヘッドのはめ込み後、回転操作機構によって回転軸およびヘッドが回転する。回転軸およびヘッドは９０°回転する。
【０００９】
好ましい実施例では、引き上げ操作機構が突出部と回転軸間に設けられ、回転軸およびヘッドの回転後、引き上げ操作機構によって回転軸およびヘッドが引き上げられ、各ヘッドが各ガイドみぞの内壁面に押し付けられる。
【図面の簡単な説明】
【００１０】
【図１】この発明の実施例を示す側面図である。
【図２】図１の天板および延長天板の分解斜視図である。
【図３】Ａは図２のガイドみぞ、ヘッド、回転軸および第１および第２つまみの断面図、Ｂはその第１つまみの平面図である。
【図４】Ａは図３のヘッドを回転させ、引き上げた状態を示す断面図、Ｂはその第１つまみの平面図である。
【符号の説明】
【００１１】
２  天板
３  ガイドみぞ
４  開口部
６  内壁面
７  ストッパ
８  延長天板
９  突出部
１０  ヘッド
１１  回転軸
１２  第１つまみ
１５  第２つまみ
【発明を実施するための最良の形態】
【００１２】
以下、この発明の実施例を説明する。【００１３】
図１はこの発明にかかるＸ線透視撮影装置を示す。この装置は被験者を透視撮影するＸ線管球１を有する。【００１４】
さらに、図２に示すように、この装置では、被験者の身体を載せる天板２に一対のガイドみぞ３が設けられており、ガイドみぞ３は上方に開口する開口部４を有し、天板２の長さ方向にのび、天板２の両側縁に沿って形成されている。この実施例では、一対の補助材５が天板２の両側縁に沿って配置され、その上面および側面に固定されており、各補助材５に各ガイドみぞ３が設けられている。図３Ａに示すように、ガイドみぞ３は矩形状の横断面形状のもので、水平および垂直の内壁面６によってガイドみぞ３の内部が形成され、開口部４はガイドみぞ３の内部の幅Ｗ１よりも小さい幅Ｗ２をもち、天板２の長さ方向にのび、ガイドみぞ３の幅方向中央部に形成されている。【００１５】
したがって、たとえば、被験者が使用する肩当てにガイドみぞ３に対応する横断面形状の脚部を設け、これを各ガイドみぞ３の内部にはめ込むと、肩当ての脚部を各ガイドみぞ３に沿って移動させ、その位置を任意に調節することができる。しかも、脚部がガイドみぞ３の開口部４から抜けることはない。被験者が握る握り棒も同様である。【００１６】
被験者の足を載せる踏台に同様の脚部を設け、踏台の脚部を各ガイドみぞ３の内部にはめ込み、各ガイドみぞ３によって踏台を取り付けることもできる。さらに、天板２の被験者足側において、各ガイドみぞ３の末端にストッパ７が設けられており、踏台の脚部を各ガイドみぞ３の内部にはめ込み、各ガイドみぞ３に沿って移動させ、ストッパ７に係合させると、踏台に被験者の足を載せ、天板２を立てたとき、踏台の脚部がガイドみぞ３の末端から抜けることはない。【００１７】
さらに、天板２の被験者足側において、延長天板８が天板２の末端に突き合わされ、延長天板８によって天板２が延長される。したがって、たとえば、被験者の身体を天板２の長さ方向にずらせ、Ｘ線管球１によって被験者の頭を透視撮影するとき、延長天板８に被験者の足を載せることができる。【００１８】
さらに、この装置では、一対の突出部９が延長天板８から突出する。突出部９は板状のもので、延長天板８の上面に取り付けられ、固定されている。そして、延長天板８が天板２の終端に突き合わされるとき、各突出部９が各ガイドみぞ３の上方に配置される。さらに、一対のヘッド１０が一対の回転軸１１と組み合わされ、各ガイドみぞ３に対応する位置において、各回転軸１１が各突出部９に取り付けられている。回転軸１１はガイドみぞ３の開口部４の幅Ｗ２と同一またはそれよりも小さい直径のもので、垂直にのび、回転可能である。さらに、各ヘッド１０が各回転軸１１の下端に設けられている。ヘッド１０は直方体からなり、ガイドみぞ３の開口部４の幅Ｗ２と同一またはそれよりも小さい幅をもち、水平に配置されている。【００１９】
したがって、延長天板８を天板２の終端に突き合わせるとき、各ヘッド１０を各ガイドみぞ３の開口部４から挿入し、各ガイドみぞ３の内部にはめ込むことができる。はめ込んだとき、ストッパ７はヘッド１０と延長天板８間に配置される。したがって、ストッパ７に関係なく、各ヘッド１０を容易にはめ込むことができ、延長天板８を天板２の終端に突き合せることができる。さらに、各突出部９を各補助材５の上面に係合させることができ、係合させたとき、各突出部９によって各ガイドみぞ３の開口部４が被覆される。図３Ａはその状態を示す。【００２０】
さらに、図４Ａに示すように、ヘッド１０はガイドみぞ３の開口部４の幅Ｗ２よりも長く、ガイドみぞ３の内部の幅Ｗ１と同一またはそれよりも短い長さＬをもつ。そして、各ヘッド１０のはめ込み後、回転操作機構によって回転軸１１およびヘッド１０が回転する。回転軸１１およびヘッド１０は９０°回転する。したがって、各ガイドみぞ３によって延長天板８を取り付けることができる。各ヘッド１０がガイドみぞ３の開口部４から抜けることはない。【００２１】
回転操作機構はリング状の第１つまみ１２からなり、その内孔が回転軸１１の外周面にはめ合わされており、第１つまみ１２は突出部９の上面に係合する。さらに、回転軸１１はその半径方向にのびるピン１３を有し、ピン１３は回転軸１１を貫通し、その両側に突出する。一方、第１つまみ１２は一対のスロット１４を有し、スロット１４は第１つまみ１２の内周面に形成されており、その軸方向にのびる。さらに、第１つまみ１２の半径方向において、各スロット１４が互いに対向し、ピン１３の両端が第１つまみ１２のスロット１４にはめ合わされている。したがって、第１つまみ１２を回転軸１１のまわりに回転させると、ピン１３およびスロット１４によって回転軸１１およびヘッド１０を回転させることができる。【００２２】
さらに、引き上げ操作機構が突出部９と回転軸１１間に設けられており、回転軸１１およびヘッド１０の回転後、引き上げ操作機構によって回転軸１１およびヘッド１０が引き上げられ、各ヘッド１０が各ガイドみぞ３の内壁面６に押し付けられる。図４Ａはその状態を示す。したがって、突出部９、回転軸１１およびヘッド１０によって延長天板８が固定され、安定する。【００２３】
引き上げ操作機構はリング状の第２つまみ１５からなり、その内孔に形成されたねじみぞを有する。さらに、ねじみぞが回転軸１１の外周面に形成され、第２つまみ１５のねじみぞにねじ合わされており、第２つまみ１５は第１つまみ１２の上面に係合する。したがって、第１および第２つまみ１２，１５が突出部９と回転軸１１間に設けられ、第２つまみ１５によって回転軸１１およびヘッド１０が支持されているものであり、第２つまみ１５を回転軸１１のまわりに回転させると、ねじみぞによって回転軸１１およびヘッド１０が引き上げられる。したがって、各ガイドみぞ３内において、各ヘッド１０が上側の水平の内壁面６に押し付けられ、その反力が回転軸１１および第２つまみ１５に伝達され、第１つまみ１２および突出部９がそれを受ける。これによって延長天板８が固定されるものである。【００２４】
さらに、第１つまみ１２にスロット１６が形成され、スロット１６にピン１７が挿入されており、図３Ｂに示すように、スロット１６は円弧状のもので、第１つまみ１２の軸方向にのび、回転軸１１のまわりに９０°の角度範囲にわたって形成されている。ピン１７はボルトからなり、第１つまみ１２の軸方向にのび、突出部９の上面にねじ合わされ、固定されている。したがって、第１つまみ１２を回転軸１２のまわりに回転させると、スロット１６に沿ってピン１７が変位し、図４Ｂに示すように、第１つまみ１２を９０°回転させたとき、スロット１６の一端にピン１７が係合し、第１つまみ１２をそれ以上回転させることはできない。この実施例では、２つのスロット１６が回転軸１１のまわりに１８０°の角度間隔を置いて形成され、２つのピン１７が回転軸１１のまわりに１８０°の角度間隔を置いて設けられており、各ピン１７が各スロット１６に挿入され、突出部９の上面にねじ合わされ、固定されている。したがって、各ピン１７が各スロット１６に沿って変位し、各スロット１６の一端に係合する。その後、第１つまみ１２を逆方向に回転させると、スロット１６に沿ってピン１７が変位し、第１つまみ１２を９０°回転させたとき、スロット１６の他端にピン１７が係合し、第１つまみ１２をそれ以上回転させることはできない。したがって、回転軸１１およびヘッド１０を９０°回転させることができるものである。【００２５】
さらに、突出部９の上面において、２つのくぼみ１８が回転軸１１のまわりに９０°の角度間隔を置いて形成されている。さらに、第１つまみ１２の下面に軸方向孔１９が形成され、軸方向孔１９にスプリング２０が収容され、小球２１がはめ込まれ、スプリング２０によって小球２１が弾性付勢されており、一方のくぼみ１８に小球２１がはめ込まれている。したがって、第１つまみ１２を回転軸１１のまわりに回転させると、その小球２１が軸方向孔１９内に後退し、一方のくぼみ１８から離脱し、突出部９の上面に沿って移動し、第１つまみ１２を９０°回転させたとき、他方のくぼみ１８に小球２１がはめ込まれる。この実施例では、４つのくぼみ１８が回転軸１１のまわりに９０°の角度間隔を置いて形成され、２つの小球２１が回転軸１１のまわりに１８０°の角度間隔を置いて設けられ、各小球２１が一方のくぼみ１８にはめ込まれており、第１つまみ１２を９０°回転させたとき、各小球２１が他方のくぼみ１８にはめ込まれる。したがって、第１つまみ１２が９０°回転したとき、小球２１によってそれを確認することができる。【００２６】
したがって、この装置の場合、踏台の脚部を各ガイドみぞ３の内部にはめ込み、各ガイドみぞ３によって踏台を取り付けることができる。さらに、天板２の被験者足側において、各ガイドみぞ３の末端にストッパ７が設けられており、踏台の脚部を各ガイドみぞ３に沿って移動させ、ストッパ７に係合させると、踏台の脚部がガイドみぞ３の末端から抜けることはない。【００２７】
さらに、天板２の被験者足側において、延長天板８を天板２の終端に突き合せるとき、各ヘッド１０を各ガイドみぞ３の開口部４から挿入し、各ガイドみぞ３の内部にはめ込むことができる。その後、第１つまみ１２によって回転軸１１およびヘッド１０を回転させると、各ガイドみぞ３によって延長天板８を取り付けることができる。第２つまみ１５によって回転軸１１およびヘッド１０を引き上げ、延長天板８を固定し、安定させることもできる。したがって、各ヘッド１０を各ガイドみぞ３の末端から挿入する必要はなく、各ガイドみぞ３の末端にストッパ７が設けられていても、問題はない。【００２８】
なお、この実施例では、ガイドみぞ３が矩形状の横断面形状であるものを説明したが、必ずしもその必要はない。ガイドみぞとしていわゆるありみぞを設けてもよい。要するに、開口部４にガイドみぞ３の内部の幅Ｗ１よりも小さい幅Ｗ２をもたせ、これをガイドみぞ３の幅方向中央部に形成すればよいものである。さらに、回転操作機構および引き上げ操作機構に第１および第２つまみ１２，１５を使用したものを説明したが、それ以外のものを使用することも考えられる。
【図１】
2009128166.tif 000003
【図２】
2009128166.tif 000004
【図３】
2009128166.tif 000005
【図４】
2009128166.tif 000006
【手続補正書】
【提出日】平成22年7月30日(2010.7.30)
【手続補正１】
【補正対象書類名】明細書
【補正対象項目名】０００９
【補正方法】変更
【補正の内容】
【０００９】
さらに、引き上げ操作機構が突出部と回転軸間に設けられ、回転軸およびヘッドの回転後、引き上げ操作機構によって回転軸およびヘッドが引き上げられ、各ヘッドが各ガイドみぞの内壁面に押し付けられる。
【手続補正２】
【補正対象書類名】特許請求の範囲
【補正対象項目名】全文
【補正方法】変更
【補正の内容】
【特許請求の範囲】
【請求項１】
被験者の身体を載せる天板に一対のガイドみぞが設けられ、前記ガイドみぞは上方に開口する開口部を有し、前記天板の長さ方向にのび、前記天板の両側縁に沿って形成され、前記開口部は前記ガイドみぞの内部の幅よりも小さい幅をもち、前記ガイドみぞの幅方向中央部に形成され、さらに、前記天板の被験者足側において、前記各ガイドみぞの末端にストッパが設けられており、前記被験者の足を載せる踏台の脚部を前記各ガイドみぞの内部にはめ込み、前記各ガイドみぞに沿って移動させ、前記ストッパに係合させるようにしたＸ線透視撮影装置であって、
前記天板の被験者足側において、前記天板の末端に突き合わせ、前記天板を延長させる延長天板と、
前記延長天板から突出し、前記延長天板を前記天板の末端に突き合わせるとき、前記各ガイドみぞの上方に配置される一対の突出部と、
前記各ガイドみぞに対応する位置において、前記各突出部に取り付けられ、垂直にのび、回転可能である一対の回転軸と、
前記各回転軸の下端に設けられ、前記ガイドみぞの開口部の幅と同一またはそれよりも小さい幅をもち、水平に配置され、前記延長天板を前記天板の終端に突き合わせるとき、前記各ガイドみぞの開口部から挿入し、前記各ガイドみぞの内部にはめ込むことができ、さらに、前記ガイドみぞの開口部の幅よりも長く、前記ガイドみぞの内部の幅と同一またはそれよりも短い長さをもつ一対のヘッドと、
前記各ヘッドのはめ込み後、前記回転軸およびヘッドを９０°回転させる回転操作機構と、
前記突出部と回転軸間に設けられ、前記回転軸およびヘッドの回転後、前記回転軸およびヘッドを引き上げ、前記各ヘッドを前記各ガイドみぞの内壁面に押し付ける引き上げ操作機構とを備えたことを特徴とするＸ線透視撮影装置。
【国際調査報告】
2009128166.tif 000007
2009128166.tif 000008